(57)【要約】【課題】ローラリニアガイドの循環装置の提供。【解決手段】スライダ、スライダ両側にそれぞれ設けられた複数の穿孔、各穿孔に挿通された固定構造を具え、該固定構造は複数の外部押さえ部品に設けられ、かつスライダの両端に位置し、固定構造は全て第1 及び第2 半はめ込み管を含む。第1 半はめ込み管は一端に内部誘導部品を設け、内部誘導部品と第2 半はめ込み管の一端は外部押さえ部品に固設され、第2 と第1 半はめ込み管が一体とされ、穿孔に挿通される。スライダは両端にそれぞれ第1 、第2 エンドキャップを設けて、外部押さえ部品を固定する。第1 及び第2 エンドキャップの間に位置制御構造が設けられ、位置制御構造はスライダと外部押さえ部品を挿通し、ガイドレールに複数あるリンクベルトは固定構造と外部押さえ部品を貫通する。【選択図】図３
0003123236.tif 000002
【実用新案登録請求の範囲】
【請求項１】
ローラリニアガイドの循環装置において、
スライダであって、第1 側面と第2 側面にそれぞれ複数の穿孔を設けた、上記スライダ、
複数の固定構造であって、これら穿孔をそれぞれ突き抜けるようにして設けられ、それぞれ該スライダの第1 端部と第2 端部に位置し、該固定構造は全て第1 半はめ込み管と第2 半はめ込み管を具え、該第1 半はめ込み管は第1 端部に内部誘導部品を設け、該第2 半はめ込み管と該第1 半はめ込み管は組み合わさり一体となり、該穿孔を突き抜けるようにして設けられる、上記複数の固定構造、
複数の外部押さえ部品であって、それぞれ該スライダの該第1 端部と該第2端部に設けられ、それぞれこれら固定構造の該内部誘導部品と該第2 半はめ込み管の第1 端部に固設される、該第2 半はめ込み管と該第1 半はめ込み管は組み合わされて一体となり、該スライダの該第1 端部に位置する該外部押さえ部品は、該スライダの該第2 端部に位置する該第1 、2 半はめ込み管それぞれの該第2 端部に固設される、該第1 、2 半はめ込み管それぞれの該第2 端部は該スライダの該第1 端部に位置するが、該スライダの該第2 端部に位置する該外部押さえ部品は、該第1 、2 半はめ込み管の第2 端部に固設される、上記複数の外部押さえ部品、
第1 エンドキャップであって、該スライダの該第1 端部に設けられ、該スライダの該第1 端部に位置する該外部押さえ部品に固定される、上記第1 エンドキャップ、
第2 エンドキャップであって、該スライダの該第2 端部に設けられ、該スライダの該第2 端部に位置する該外部押さえ部品に固定される、上記第2 エンドキャップ、
位置制御構造であって、該スライダと該外部押さえ部品に入り込むにして設けられ、該第1 エンドキャップと該第2 エンドキャップの間に固設される、上記位置制御構造、
複数のリンクベルトであって、それぞれ該固定構造と該外部押さえ部品を通るように設けられる、上記複数のリンクベルト、
以上を包含したことを特徴とするローラリニアガイドの循環装置。
【請求項２】
請求項１記載のローラリニアガイドの循環装置において、そのうち該第1 半はめ込み管と該内部誘導部品は一体に形成されたことを特徴とするローラリニアガイドの循環装置。
【請求項３】
請求項１記載のローラリニアガイドの循環装置において、そのうちこれら固定構造は第1 固定構造、第2 固定構造、第3 固定構造及び第4 固定構造を包含し、該第1 固定構造と該第2 固定構造は、それぞれ該スライダにある該第1 端部の該両側に設けられ、該第3 固定構造と該第4 固定構造はそれぞれスライダにある第2 端部の該両側に設けられ、該第1 固定構造と該第2 固定構造は、該第1 、2 半はめ込み管それぞれの該第2 端部を有し、該第1 、2 半はめ込み管それぞれの該第2 端部は、該第3 固定構造と該第4 固定構造の該外部押さえ部品を固設するために差し込まれ、該第3 固定構造と該第4 固定構造も、該第1、2 半はめ込み管それぞれの該第2 端部を有し、該第1 、2 半はめ込み管それぞれの該第2 端部はそれぞれ該第1 固定構造と該第2 固定構造の該外部押さえ部品を固設するために差し込まれることを特徴とするローラリニアガイドの循環装置。
【請求項４】
請求項１記載のローラリニアガイドの循環装置において、そのうち該位置制御構造は、  上部位置制御構造であって、該スライダを突き抜けるようにして設けられるもの、該上部位置制御構造は両端がそれぞれ該第1 エンドキャップと該第2 エンドキャップに差し込まれる、上記上部位置制御構造、
中央部位置制御構造であって、該スライダを突き抜けるようにして設けられるもの、該中央部位置制御構造は両端がそれぞれ該スライダの該両端にある該外部押さえ部品に差し込まれる、上記中央部位置制御構造、
下部位置制御構造であって、該スライダと該スライダの該両端にある該外部押さえ部品に入り込むように差し込まれるもの、該下部位置制御構造の両端は、それぞれ該第1 エンドキャップと該第2 エンドキャップに差し込まれる、上記下部位置制御構造、
以上を包含することを特徴とするローラリニアガイドの循環装置。
【請求項５】
請求項４記載のローラリニアガイドの循環装置において、そのうち該上部位置制御構造は、
第1 上部位置制御板であって、該スライダの第1 端部を突き抜けるように設置され、該スライダの該第1 側面に位置の該両端に位置する該外部押さえ部品に跨るもの、該第1 上部位置制御板の両端はそれぞれ該第1 エンドキャップと該第2 エンドキャップに設置された第1 上部取付溝に差し込まれる、上記第1上部位置制御板、
第2 上部位置制御板であって、該スライダの該第2 側面を突き抜けるようにして設けられ、該第2 側面の該両端に位置する該外部押さえ部品に跨るもの、該第2 上部位置制御板の両端はそれぞれ第1 エンドキャップと該第2 エンドキャップに設置された第2 上部取付溝に差し込まれる、上記第2 上部位置制御板、
以上を包含することを特徴とするローラリニアガイドの循環装置。
【請求項６】
請求項５記載のローラリニアガイドの循環装置において、そのうち該第1 上部位置制御板と該第2 上部位置制御板はそれぞれ該外部押さえ部品と互いに動きを遮る断面にある幾何学模様が、該外部押さえ部品自身の断面にある幾何学模様に対応していることを特徴とするローラリニアガイドの循環装置。
【請求項７】
請求項５記載のローラリニアガイドの循環装置において、そのうち該上部位置制御構造は更に、防塵板であって、両側がそれぞれ該第1 上部位置制御板と該第2 上部位置制御板の片側に設けられ、該防塵板は該スライダを突き抜けるようにして設けられ、かつ該第1 エンドキャップと該第2 エンドキャップに跨る、上記防塵板を包含することを特徴とするローラリニアガイドの循環装置。
【請求項８】
請求項４記載のローラリニアガイドの循環装置において、そのうち該中央部位置制御構造は、
第1 中央部位置制御板であって、該スライダの該第1 側面を突き抜けるようにして設けられ、該第1 中央部位置制御板の両端が該スライダの該第1 側面の両端の外部押さえ部品に設けられた第1 取付穴に挿通される、上記第1 中央部位置制御板、
第2 中央部位置制御板であって、該スライダの該第2 側面を突き抜けるようにして設けられ、該第2 中央部位置制御板の両端が該スライダの該第2 側面の両端の外部押さえ部品に設けられた第2 取付穴に挿通される、上記第2 中央部位置制御板、
を包含することを特徴とするローラリニアガイドの循環装置。
【請求項９】
請求項８記載のローラリニアガイドの循環装置において、そのうち該第1 中央部位置制御板と該第2 中央部位置制御板は、該外部押さえ部品に差し込まれ、また、該第1 、2 中央部位置制御板それぞれの、該外部押さえ部品と互いに動きを遮る断面にある幾何学模様は、外部押さえ部品自身の断面にある幾何学模様と互いに対応することを特徴とするローラリニアガイドの循環装置。
【請求項１０】
請求項４記載のローラリニアガイドの循環装置において、そのうち該下部位置制御構造は、
第1 下部位置制御板であって、該スライダの該第1 側面と、該スライダの該第1 側面の両端に位置する該外部押さえ部品に設けられた下部位置制御用溝に挿通され、該第1 下部位置制御板の両端がそれぞれ該第1 エンドキャップと該第2 エンドキャップに設置された第1 下部取付溝に差し込まれた、上記第1 下部位置制御板と、
第2 下部位置制御板であって、該スライダの該第2 側面と、該スライダの該第2 側面の両端に位置する外部押さえ部品に設けられた下部位置制御用溝に挿通され、該第2 下部位置制御板の両端がそれぞれ該第1 エンドキャップと該第2 エンドキャップに設置された第2 下部取付溝に差し込まれた、上記第2 下部位置制御板と、
を包含したことを特徴とするローラリニアガイドの循環装置。
【請求項１１】
請求項１０記載のローラリニアガイドの循環装置において、そのうち該第1下部位置制御板と該第2 下部位置制御板は、該外部押さえ部品にはめ込むようにして設けられ、また、該第1 、2 下部位置制御板それぞれの、外部押さえ部品と互いに動きを遮る断面にある幾何学模様は、外部押さえ部品自身の断面にある幾何学模様と互いに対応することを特徴とするローラリニアガイドの循環装置。
【請求項１２】
請求項１記載のローラリニアガイドの循環装置において、そのうち該内部誘導部品は外側に内部案内溝を設ける、該内部案内溝と該第1 半はめ込み管は互いに連通し、該内部誘導部品は該外部押さえ部品の内部収納溝に設けられ、該外部押さえ部品に外部案内穴と外部案内溝を設け、該外部案内穴と該外部案内溝は互いに連通し、該スライダの該第1 端部は該第1 半はめ込み管と該第2 半はめ込み管を有し、一方、該外部押さえ部品は該スライダの該第2 端部に位置し、該第1 、2 半はめ込み管は該外部押さえ部品に差し込まれ、該外部案内穴と互いに繋がり、そして該スライダの該第2 端部も該第1 半はめ込み管と該第2 半はめ込み管を有し、一方、該外部押さえ部品は該スライダの該第1 端部に位置し、該第1 、2 半はめ込み管は該外部押さえ部品に差し込まれ、該外部案内穴と互いに繋がり、そして該第1 エンドキャップと該第2 エンドキャップは、該外部案内溝に対応する場所に、それぞれ外部収納溝を設けることを特徴とするローラリニアガイドの循環装置。
【請求項１３】
請求項１２記載のローラリニアガイドの循環装置において、そのうち該外部押さえ部品の厚さは該内部収納溝側壁の厚さに等しいことを特徴とするローラリニアガイドの循環装置。
【請求項１４】
請求項１記載のローラリニアガイドの循環装置において、そのうち該リンクベルトは全てリテーナと複数のボールを含み、該リテーナは複数のスペーサを含み、全ての該スペーサは適切な間隔を開けて離れており、また両側に連結バンドを設け、該連結バンドは外側が張力抵抗バンドと互いに連結され、全てのスペーサ間には収納空間があり、該ボールは該収納空間に設けられ、全ての該スペーサと該ボールが接触する上半面は弓状を、下半面は平面をなしていることを特徴とするローラリニアガイドの循環装置。
【請求項１５】
請求項１記載のローラリニアガイドの循環装置において、そのうち該第1 エンドキャップ、該第2 エンドキャップ、該外部押さえ部品及び該スライダはそれぞれ少なくとも一つのネジ穴を設け、複数のネジが該ネジ穴に留め付けられ、これにより該第1 エンドキャップ、該第2 エンドキャップ及び該外部押さえ部品が該スライダに留め付けられることを特徴とするローラリニアガイドの循環装置。
【考案の詳細な説明】
【技術分野】
【０００１】
本考案は循環装置、特にローラリニアガイドの循環装置に関するものである。
【背景技術】
【０００２】
ガイドレールは高剛性を有し、高精度であるという特性がある。そのためガイドレールの使用は工業分野では一般的である。ガイドレールはまた、高負荷、高速度、低騒音及び耐高温という特性をも有している。更にガイドレールの中には、多種の劣悪な作業環境に対応できるものまである。そのため、ガイドレールは各業界で愛用され、例えば工業面で使用される研磨機、パンチプレスや、重切削旋盤、大理石切断機、輸送設備又は自動化設備に用いられている。更に中には、精密測定、計器作動の検査に応用されるものまである。機器や計器の作業効率と精度は、ガイドレールが適合していないことで低下することもある。しかし、周知のローラリニアガイドの循環装置は部品が多く、組み合わせが複雑で、構造は一部分脆くて壊れやすいため、取り扱いは慎重に行わなければならず、一時の不注意で部品の構造を壊し、リンクベルトの順調な稼動に悪影響を与えうることもあるのである。
【０００３】
図１に示したのは、特許文献１に記載の構造であり、それは部品本体4 、複数のローラ支え板10、複数の支え部材11、12、13、複数の逸脱経路部材14、内縁誘導部材と両端フタ5-1 、5-2 を含む。そして部品本体4 は両端に複数の長穴4eを有する。ローラ支え板10は複数のローラー3 を設け、内縁誘導部材は複数の分割部分15a-1R、15a-1L、15b-1R、15b-1L、15a-2R、15a-2L、15b-2R、15b-2Lを含む。内縁誘導部材は逸脱経路部材14の設置に用いられ、それぞれが逸脱経路部材14を長穴4eを突き抜けるような形で設ける。支え部材11、12、13は部品本体4 と内縁誘導部材に入り込むようにして設けられる。またローラ支え板10は逸脱経路部材14、内縁誘導部材及び支え部材11、12、13に入り込むようにして設けられる。側面フタ5-1 、5-2 はそれぞれ部品本体4 の両端に設けられ、分割部分5b-1R 、15b-1L、15b-2R、15b-2Lを固定するのに用いられる。
【０００４】
【特許文献１】台湾特許第477869号明細書
【０００５】
内縁誘導部材を部品本体4 の両端に組み立てる時は、分割部分15a-1R、15a-1L、15a-2R、15a-2Lと逸脱経路部材14をまず互いに接合させ、その後、逸脱経路部材14を長穴4eに通して設置する。そして分割部分15a-1R、15a-1L、15a-2R、15a-2Lを部品本体4 の両端に設け、その後分割部分15b-1R、15b-1L、15b-2R、15b-2Lをそれぞれ分割部分15a-1R、15a-1L、15a-2R、15a-2Lの外側に設ける。このことからも分かるように、組み立て過程では部品が多く、そのため組み立てに多くの時間が必要となり、生産効率も低下してしまうのである。
【０００６】
図２も共にご覧いただきたい。周知の技術である内縁誘導部材がローラ支え板を設置したことを示す立体分解図である。図に示したように、ローラ支え板10が分割部分15b-1Rの外縁誘導部31を通り抜けるようにして設けられる時、外縁誘導部31側壁の厚さが分割部分15b-1Rの厚さに等しくなっていない。そのため外縁誘導部31は構造強度が弱く、組み立て又は取り外しの過程で、押出力を受け変形し易い。このようにしてローラ支え板10が外縁誘導部31を順調に通り抜けなくなるという問題が起こりやすく、更にはローラ支え板10の切断が発生することさえある。
【考案の開示】
【考案が解決しようとする課題】
【０００７】
本考案の主要な目的は、ローラリニアガイドの循環装置を提供することである。本考案のローラリニアガイドの循環装置は構造が簡単で、組み立ても便利であり、組み立て時間を削減し、組み立ての効率を高めるものである。
【０００８】
本考案の次の目的は、ローラリニアガイドの循環装置を提供することにあり、それは、部品の強度を高め、部品が外力により簡単に変形してしまうという事態を回避できるようにし、リングベルトの運動を更に順調にさせるものである。
【０００９】
本考案によると、ローラリニアガイドの循環装置は、スライダ、複数の固定構造、複数の外部押さえ部品、第1 エンドキャップ、第2 エンドキャップ、位置制御構造及び複数のリンクベルトを含む。スライダ両側にそれぞれ複数の穿孔があり、固定構造はそれぞれ穿孔を突き抜けるようにして設けられ、それぞれスライダの第1 端部と第2 端部に位置している。固定構造は全て第1 半はめ込み管と第2 半はめ込み管を含む。第1 半はめ込み管と第2 半はめ込み管は一体になり穿孔を突き抜けるようにして設けられる。第1 半はめ込み管は第1 端部に内部誘導部品を設け、固定構造は全てそれぞれ外部押さえ部品に対応する。固定構造の内部誘導部品と第2 半はめ込み管の第1 端部は外部押さえ部品に固定され、これにより第1 半はめ込み管と第2 半はめ込み管は一体となるのである。そして第1 エンドキャップがスライダの第1 端部に設けられ、第1 エンドキャップと第2 エンドキャップはそれぞれスライダの両端に設けられ外部押さえ部品を固定する。更に位置制御構造がスライダと外部押さえ部品に入り込むようにして設けられ、かつ第1 エンドキャップと第2 エンドキャップの間に設けられる。ガイドレールにある複数のリンクベルトはそれぞれ固定構造と外部押さえ部品を通り抜けるようにして設けられている。本考案は第1 半はめ込み管に内部誘導部品を設けることで、循環装置の部品数量を減らし、ローラリニアガイドの循環装置の組み立て効率を向上できるものである。本考案では外部押さえ部品の厚さは、外部押さえ部品に設置された内部誘導部品を収納するのに用いる内部収納溝側壁の厚さと同じである。これにより内部設置用溝の強度を高め、内部収納溝が外力により変形するのが避けられるのである。
【課題を解決するための手段】
【００１０】
請求項１の考案は、ローラリニアガイドの循環装置において、
スライダであって、第1 側面と第2 側面にそれぞれ複数の穿孔を設けた、上記スライダ、
複数の固定構造であって、これら穿孔をそれぞれ突き抜けるようにして設けられ、それぞれ該スライダの第1 端部と第2 端部に位置し、該固定構造は全て第1 半はめ込み管と第2 半はめ込み管を具え、該第1 半はめ込み管は第1 端部に内部誘導部品を設け、該第2 半はめ込み管と該第1 半はめ込み管は組み合わさり一体となり、該穿孔を突き抜けるようにして設けられる、上記複数の固定構造、
複数の外部押さえ部品であって、それぞれ該スライダの該第1 端部と該第2 端部に設けられ、それぞれこれら固定構造の該内部誘導部品と該第2 半はめ込み管の第1 端部に固設される、該第2 半はめ込み管と該第1 半はめ込み管は組み合わされて一体となり、該スライダの該第1 端部に位置する該外部押さえ部品は、該スライダの該第2 端部に位置する該第1 、2 半はめ込み管それぞれの該第2 端部に固設される、該第1 、2 半はめ込み管それぞれの該第2 端部は該スライダの該第1 端部に位置するが、該スライダの該第2 端部に位置する該外部押さえ部品は、該第1 、2 半はめ込み管の第2 端部に固設される、上記複数の外部押さえ部品、
第1 エンドキャップであって、該スライダの該第1 端部に設けられ、該スライダの該第1 端部に位置する該外部押さえ部品に固定される、上記第1 エンドキャップ、
第2 エンドキャップであって、該スライダの該第2 端部に設けられ、該スライダの該第2 端部に位置する該外部押さえ部品に固定される、上記第2 エンドキャップ、
位置制御構造であって、該スライダと該外部押さえ部品に入り込むにして設けられ、該第1 エンドキャップと該第2 エンドキャップの間に固設される、上記位置制御構造、
複数のリンクベルトであって、それぞれ該固定構造と該外部押さえ部品を通るように設けられる、上記複数のリンクベルト、
以上を包含したことを特徴とするローラリニアガイドの循環装置としている。
請求項２の考案は、請求項１記載のローラリニアガイドの循環装置において、そのうち該第1 半はめ込み管と該内部誘導部品は一体に形成されたことを特徴とするローラリニアガイドの循環装置としている。
請求項３の考案は、請求項１記載のローラリニアガイドの循環装置において、そのうちこれら固定構造は第1 固定構造、第2 固定構造、第3 固定構造及び第4 固定構造を包含し、該第1 固定構造と該第2 固定構造は、それぞれ該スライダにある該第1 端部の該両側に設けられ、該第3 固定構造と該第4 固定構造はそれぞれスライダにある第2 端部の該両側に設けられ、該第1 固定構造と該第2 固定構造は、該第1 、2 半はめ込み管それぞれの該第2 端部を有し、該第1 、2 半はめ込み管それぞれの該第2 端部は、該第3 固定構造と該第4 固定構造の該外部押さえ部品を固設するために差し込まれ、該第3 固定構造と該第4固定構造も、該第1 、2 半はめ込み管それぞれの該第2 端部を有し、該第1 、2 半はめ込み管それぞれの該第2 端部はそれぞれ該第1 固定構造と該第2 固定構造の該外部押さえ部品を固設するために差し込まれることを特徴とするローラリニアガイドの循環装置としている。
請求項４の考案は、請求項１記載のローラリニアガイドの循環装置において、そのうち該位置制御構造は、
上部位置制御構造であって、該スライダを突き抜けるようにして設けられるもの、該上部位置制御構造は両端がそれぞれ該第1 エンドキャップと該第2 エンドキャップに差し込まれる、上記上部位置制御構造、
中央部位置制御構造であって、該スライダを突き抜けるようにして設けられるもの、該中央部位置制御構造は両端がそれぞれ該スライダの該両端にある該外部押さえ部品に差し込まれる、上記中央部位置制御構造、
下部位置制御構造であって、該スライダと該スライダの該両端にある該外部押さえ部品に入り込むように差し込まれるもの、該下部位置制御構造の両端は、それぞれ該第1 エンドキャップと該第2 エンドキャップに差し込まれる、上記下部位置制御構造、
以上を包含することを特徴とするローラリニアガイドの循環装置としている。
請求項５の考案は、請求項４記載のローラリニアガイドの循環装置において、そのうち該上部位置制御構造は、
第1 上部位置制御板であって、該スライダの第1 端部を突き抜けるように設置され、該スライダの該第1 側面に位置の該両端に位置する該外部押さえ部品に跨るもの、該第1 上部位置制御板の両端はそれぞれ該第1 エンドキャップと該第2 エンドキャップに設置された第1 上部取付溝に差し込まれる、上記第1 上部位置制御板、
第2 上部位置制御板であって、該スライダの該第2 側面を突き抜けるようにして設けられ、該第2 側面の該両端に位置する該外部押さえ部品に跨るもの、該第2 上部位置制御板の両端はそれぞれ第1 エンドキャップと該第2 エンドキャップに設置された第2 上部取付溝に差し込まれる、上記第2 上部位置制御板、
以上を包含することを特徴とするローラリニアガイドの循環装置としている。
請求項６の考案は、請求項５記載のローラリニアガイドの循環装置において、そのうち該第1 上部位置制御板と該第2 上部位置制御板はそれぞれ該外部押さえ部品と互いに動きを遮る断面にある幾何学模様が、該外部押さえ部品自身の断面にある幾何学模様に対応していることを特徴とするローラリニアガイドの循環装置としている。
請求項７の考案は、請求項５記載のローラリニアガイドの循環装置において、そのうち該上部位置制御構造は更に、防塵板であって、両側がそれぞれ該第1 上部位置制御板と該第2 上部位置制御板の片側に設けられ、該防塵板は該スライダを突き抜けるようにして設けられ、かつ該第1 エンドキャップと該第2 エンドキャップに跨る、上記防塵板を包含することを特徴とするローラリニアガイドの循環装置としている。
請求項８の考案は、請求項４記載のローラリニアガイドの循環装置において、そのうち該中央部位置制御構造は、
第1 中央部位置制御板であって、該スライダの該第1 側面を突き抜けるようにして設けられ、該第1 中央部位置制御板の両端が該スライダの該第1 側面の両端の外部押さえ部品に設けられた第1 取付穴に挿通される、上記第1 中央部位置制御板、
第2 中央部位置制御板であって、該スライダの該第2 側面を突き抜けるようにして設けられ、該第2 中央部位置制御板の両端が該スライダの該第2 側面の両端の外部押さえ部品に設けられた第2 取付穴に挿通される、上記第2 中央部位置制御板、
を包含することを特徴とするローラリニアガイドの循環装置としている。
請求項９の考案は、請求項８記載のローラリニアガイドの循環装置において、そのうち該第1 中央部位置制御板と該第2 中央部位置制御板は、該外部押さえ部品に差し込まれ、また、該第1 、2 中央部位置制御板それぞれの、該外部押さえ部品と互いに動きを遮る断面にある幾何学模様は、外部押さえ部品自身の断面にある幾何学模様と互いに対応することを特徴とするローラリニアガイドの循環装置としている。
請求項１０の考案は、請求項４記載のローラリニアガイドの循環装置において、そのうち該下部位置制御構造は、
第1 下部位置制御板であって、該スライダの該第1 側面と、該スライダの該第1 側面の両端に位置する該外部押さえ部品に設けられた下部位置制御用溝に挿通され、該第1 下部位置制御板の両端がそれぞれ該第1 エンドキャップと該第2 エンドキャップに設置された第1 下部取付溝に差し込まれた、上記第1 下部位置制御板と、
第2 下部位置制御板であって、該スライダの該第2 側面と、該スライダの該第2 側面の両端に位置する外部押さえ部品に設けられた下部位置制御用溝に挿通され、該第2 下部位置制御板の両端がそれぞれ該第1 エンドキャップと該第2 エンドキャップに設置された第2 下部取付溝に差し込まれた、上記第2 下部位置制御板と、
を包含したことを特徴とするローラリニアガイドの循環装置としている。
請求項１１の考案は、請求項１０記載のローラリニアガイドの循環装置において、そのうち該第1 下部位置制御板と該第2 下部位置制御板は、該外部押さえ部品にはめ込むようにして設けられ、また、該第1 、2 下部位置制御板それぞれの、外部押さえ部品と互いに動きを遮る断面にある幾何学模様は、外部押さえ部品自身の断面にある幾何学模様と互いに対応することを特徴とするローラリニアガイドの循環装置としている。
請求項１２の考案は、請求項１記載のローラリニアガイドの循環装置において、そのうち該内部誘導部品は外側に内部案内溝を設ける、該内部案内溝と該第1 半はめ込み管は互いに連通し、該内部誘導部品は該外部押さえ部品の内部収納溝に設けられ、該外部押さえ部品に外部案内穴と外部案内溝を設け、該外部案内穴と該外部案内溝は互いに連通し、該スライダの該第1 端部は該第1 半はめ込み管と該第2 半はめ込み管を有し、一方、該外部押さえ部品は該スライダの該第2 端部に位置し、該第1 、2 半はめ込み管は該外部押さえ部品に差し込まれ、該外部案内穴と互いに繋がり、そして該スライダの該第2 端部も該第1 半はめ込み管と該第2 半はめ込み管を有し、一方、該外部押さえ部品は該スライダの該第1 端部に位置し、該第1 、2 半はめ込み管は該外部押さえ部品に差し込まれ、該外部案内穴と互いに繋がり、そして該第1 エンドキャップと該第2 エンドキャップは、該外部案内溝に対応する場所に、それぞれ外部収納溝を設けることを特徴とするローラリニアガイドの循環装置としている。
請求項１３の考案は、請求項１２記載のローラリニアガイドの循環装置において、そのうち該外部押さえ部品の厚さは該内部収納溝側壁の厚さに等しいことを特徴とするローラリニアガイドの循環装置としている。
請求項１４の考案は、請求項１記載のローラリニアガイドの循環装置において、そのうち該リンクベルトは全てリテーナと複数のボールを含み、該リテーナは複数のスペーサを含み、全ての該スペーサは適切な間隔を開けて離れており、また両側に連結バンドを設け、該連結バンドは外側が張力抵抗バンドと互いに連結され、全てのスペーサ間には収納空間があり、該ボールは該収納空間に設けられ、全ての該スペーサと該ボールが接触する上半面は弓状を、下半面は平面をなしていることを特徴とするローラリニアガイドの循環装置としている。
請求項１５の考案は、請求項１記載のローラリニアガイドの循環装置において、そのうち該第1 エンドキャップ、該第2 エンドキャップ、該外部押さえ部品及び該スライダはそれぞれ少なくとも一つのネジ穴を設け、複数のネジが該ネジ穴に留め付けられ、これにより該第1 エンドキャップ、該第2 エンドキャップ及び該外部押さえ部品が該スライダに留め付けられることを特徴とするローラリニアガイドの循環装置としている。
【考案の効果】
【００１１】
本考案はガイドレールのリンクベルト循環装置を提供するものである。その構造部品は仕組みが簡単で組み立ても便利であり、循環装置の組み立て効率をも向上させる。そしてまた、リングベルトの運動が更に順調になり、リンクベルトの切断という事態を避ける。
【考案を実施するための最良の形態】
【００１２】
図３と図４に示したのは、本考案の比較的良好な実施例の立体分解図と分解図である。図に示したように、本考案であるローラリニアガイドの循環装置はスライダ70、複数の固定構造、複数の外部押さえ部品、第1 エンドキャップ100 、第2 エンドキャップ110 、位置制御構造及び複数のリンクベルト130 を含む。スライダ70はガイドレール60を跨ぎ込むようにして設けられ、スライダ70は第1 側面と第2 側面にそれぞれ複数の穿孔72を設ける。複数の固定構造は第1 固定構造82、第2 固定構造84、第3 固定構造86及び第4 固定構造88を含む。固定構造82、84、86、88はそれぞれ穿孔72を突き抜けるようにして設けられ、第1 固定構造82と第2 固定構造84はそれぞれスライダ70の第1 端部の第1 側面と第2 側面に位置し、第3 固定構造86と第4 固定構造88はそれぞれスライダ70の第2 端部の第1 側面と第2 側面に位置する。
【００１３】
複数の外部押さえ部品は第1 外部押さえ部品92、第2 外部押さえ部品94、第3 外部押さえ部品96及び第4 外部押さえ部品98を含み、それぞれ固定構造82、84、86、88を設置するのに用いる。第1 エンドキャップ100 はスライダ70の第1 端部に設けられ、第1 外部押さえ部品92と第2 外部押さえ部品94を固定するのに用いる。第2 エンドキャップ110 はスライダ70の第2 端部に設けられ、第3 外部押さえ部品96と第4 外部押さえ部品98を固定するのに用いる。位置制御構造は上部位置制御構造122 、中央部位置制御構造124 及び下部位置制御構造126 を含む。位置制御構造はスライダ70と外部押さえ部品92、94、96、98に入り込むようにして設けられ、第1 エンドキャップ100 と第2 エンドキャップ110 の間に設けられる。また複数のリンクベルト130 は、それぞれ固定構造82、84、86、88と外部押さえ部品92、94、96、98の内部を通り抜けるようにして設けられる。
【００１４】
固定構造82、84、86、88はそれぞれ第1 半はめ込み管824 、844 、864 、884 と第2 半はめ込み管826 、846 、866 、886 を含む。第1 半はめ込み管824、844 、864 、884 は第1 端部にそれぞれ内部誘導部品822 、842 、862 、882 を設ける。これら第1 半はめ込み管824 、844 、864 、884 と内部誘導部品822 、842 、862 、882 は一体として形成されていると言える。内部誘導部品822 、842 、862 、882 はそれぞれ外側に内部案内溝8225、8425、8625、8825を設け、また第1 半はめ込み管824 、844 、864 、884 はそれぞれ内部案内溝8225、8425、8625、8825と互いに繋がっている。
【００１５】
次に図５に示したのは、本考案における外部押さえ部品の構造に関する説明である。図５は本考案における第1 外部押さえ部品92の立体分解図である。図に示したように、第1 外部押さえ部品92は半はめ込み管取付溝921 と内部収納溝922 を設ける。半はめ込み管取付溝921 は第1 固定構造82にある第2 半はめ込み管826 の第1 端部を差し込むために用い、内部収納溝922 は第1 固定構造82にある第1 半はめ込み管824 の内部誘導部品822 を収納するために用いる。このようにして第1 固定構造82の第1 半はめ込み管824 と第2 半はめ込み管826 は一体になり、また穿孔72を突き抜けるようにして設置できるようになるのである。図から分かるのは、本考案における第1 外部押さえ部品92の厚さが内部収納溝922 側壁の厚さと同じであるため、内部収納溝922 の強度が増し、内部収納溝922 が外力により変形するのが防げることである。このようにしてリンクベルト130 の運動に悪影響が及ぶのを防ぎ、リングベルト130 の運動が更に順調になるのである。
【００１６】
また、第1 外部押さえ部品92は更に半はめ込み管取付溝923 、925 を設け、これらをそれぞれ第3 固定構造86にある第1 半はめ込み管864 と第2 半はめ込み管866 の第2 端部を差し込むのに用いる。このようにして第3 固定構造86にある第1 半はめ込み管864 と第2 半はめ込み管866 は、第1 外部押さえ部品92に設けられた外部案内穴924 と互いに繋がる。図１４に示したのは、外部案内穴924 と第1 外部押さえ部品92の外側に設けられた外部案内溝926 が互いに繋がっている状態である。同様に、第1 固定構造82にある第1 半はめ込み管824と第2 半はめ込み管826 の第2 端部も、第3 外部押さえ部品96に設けられた半はめ込み管取付溝に差し込まれ、第3 外部押さえ部品96に設けられた外部案内穴964 と互いに繋がっている。また外部案内穴964 と第3 外部押さえ部品96の外側に設けられた外部案内溝966 は互いに繋っている( 図１９に図示の通り)。そして第1 外部押さえ部品92は、更に第1 取付穴927 と下部位置制御用溝928 を設ける。なお、本考案における外部押さえ部品94、96、98の構造は第1 外部押さえ部品92と同じである。
【００１７】
上記の内容からも分かるように、第1 固定構造82にある第1 半はめ込み管824 と第2 半はめ込み管826 の第2 端部は第3 外部押さえ部品96に差し込まれる。第3 固定構造86にある第1 半はめ込み管864 と第2 半はめ込み管866 の第2 端部は第1 外部押さえ部品92で向かい合って差し込まれる。第2 固定構造84の第1 半はめ込み管844 と第2 半はめ込み管846 は第4 外部押さえ部品98で差し込まれる。そして第4 固定構造88の第1 半はめ込み管884 と第2 半はめ込み管886 の第2 端部は第2 外部押さえ部品94で向かい合って差し込まれる。
【００１８】
同時に図６をご覧いただきたい。図６は、本考案の比較的良好な実施例によるエンドキャップの立体分解図である。図に示したように、第1 エンドキャップ100 は第1 外部押さえ部品92と第2 外部押さえ部品94の外部案内溝926 、946(図１４に図示したものに同じ) と相対する場所に、それぞれ外部設置用溝1002、1004を設け、外部案内溝926 、946 自身を収納できるようにする。その他、第1 エンドキャップ100 はそれぞれ第1 下部取付溝1007と第2 下部取付溝1008を設け、第1 外部押さえ部品92と第2 外部押さえ部品94の下部位置制御用溝928 、948(図１３に図示したものに同じ) に相対させる。第1 エンドキャップ100 は第1 上部取付溝1005と第2 上部取付溝1006を更に設ける。同様に第2 エンドキャップ110 は、第3 外部押さえ部品96と第第4 外部押さえ部品98の外部案内溝966 、986 と相対する場所に、外部設置用溝を設け、また第3 外部押さえ部品96と第4 外部押さえ部品98の下部位置制御用溝968 、988 と相対するように、それぞれ下部取付溝が設けられるのが分かる。第2 エンドキャップ110 はまた、第1 エンドキャップ100 が設けた上部取付溝1005と第2 上部取付溝1006の位置に対応するように、それぞれ上部取付溝と下部取付溝を設ける。
【００１９】
上部位置制御構造122 は、第1 上部位置制御板1222、防塵板1224及び第2 上部位置制御板1226を含む。そのうち防塵板1224は、両側にそれぞれ複数の組み立て用溝12245 を設ける。そして第1 上部位置制御板1222と第2 上部位置制御板1226は、片側の組み立て用溝12245 と相対する場所に、複数の組み立て用でっぱり12225 、12265 を設け、防塵板1224が第1 上部位置制御板1222と第2 上部位置制御板1226に組み込まれるようにする。これら第1 上部位置制御板1222と第2 上部位置制御板1226は、それぞれスライダ70の第1 側面と第2 側面を突き抜けるようにして設けられている。第1 上部位置制御板1222と第2 上部位置制御板1226の一端は、第1 エンドキャップ100 に設置された第1 上部取付溝1005と第2 上部取付溝1006にそれぞれ差し込まれる。そして第1 上部位置制御板1222と第2 上部位置制御板1226のもう一端は、第2 エンドキャップ110 に設置された第1 上部取付溝と第2 上部取付溝に差し込まれる。
【００２０】
同時に図７をご覧いただきたい。図７は本考案の比較的良好な実施例において、外部押さえ部品が上部位置制御構造に接続された状態を示す立体分解図である。図に示したように、第2 上部位置制御板1226が第1 エンドキャップ100 の第2 上部取付溝1006に差し込まれた時、第2 上部位置制御板1226は第2 外部押さえ部品94と互いに動きを遮る。本考案では第2 上部位置制御板1226と第2 外部押さえ部品94が互いに動きを遮った時、ずれが生じ、リンクベルト130 の運動に悪影響が及ぶのを避ける必要がある。そのため第2 上部位置制御板1226が有する、第2 外部押さえ部品94と互いに動きを遮る断面にある幾何学模様を、第2 外部押さえ部品94自身の断面にある幾何学模様に対応させるようにさせるようにした。図に示したように、第2 上部位置制御板1226と第2 外部押さえ部品94が互いに動きを遮った時に、ずれという現象が起こらないのもそのためである。同様に、第2 上部位置制御板1226と第4 外部押さえ部品98が互いに動きを遮った時も、ずれの現象は発生しない。
【００２１】
上記の内容からも分かるように、第1 上部位置制御板1222は第1 エンドキャップ100 と第2 エンドキャップ110 の間に差し込まれた時、同時に第1 外部押さえ部品92と第3 外部押さえ部品96とも互いに動きを遮る。しかし第1 上部位置制御板1222が有する、第1 外部押さえ部品92及び第3 外部押さえ部品96と互いに動きを遮る断面にある幾何学模様は、第1 外部押さえ部品92と第3 外部押さえ部品自身の断面にある幾何学模様と互いに対応する。そのためずれという現象も起こりえないのである。また、防塵板1224はスライダ70を突き抜けるにして設けられる時、第1 エンドキャップ100 と第2 エンドキャップ110 の間に跨る。
【００２２】
また、中央部位置制御構造124 は、第1 中央部位置制御板1242と第2 中央部位置制御板1244を含む。第1 中央部位置制御板1242と第2 中央部位置制御板1244はそれぞれスライダ70の両側を突き抜けるように設けられる。第1 中央部位置制御板1242と第2 中央部位置制御板1244はそれぞれ一端がスライダ70の第1 端部にある第1 外部押さえ部品92と第2 外部押さえ部品94に設置された第1 取付穴927 と第2 取付穴947 に差し込まれる( 図１３に図示したものに同じ) 。第1 中央部位置制御板1242と第2 中央部位置制御板1244はそれぞれもう一端がスライダ70の第2 端部にある第3 外部押さえ部品96と第4 外部押さえ部品98に設置された第1 取付穴と第2 取付穴に差し込まれる。
【００２３】
同時に図８をご覧いただきたい。図８は本考案の比較的良好な実施図において外部押さえ部品が中央部位置制御構造に接続された状態を示す立体分解図である。図に示したように、第2 中央部位置制御板1244が第2 外部押さえ部品94の第2 取付穴947 に差し込まれる時、第2 中央部位置制御板1244は第2 外部押さえ部品94と互いに動きを遮る。本考案では第2 中央部位置制御板1244と第2 外部押さえ部品94が互いに動きを遮った時、ずれが生じ、リンクベルト130 の運動に悪影響が及ぶのを避ける必要がある。そのため第2 中央部位置制御板1244が有する、第2 外部押さえ部品94と互いに動きを遮る断面の幾何学模様を、第2 外部押さえ部品94自身にある断面の幾何学模様に対応させるようにした。図に示したように、第2 中央部位置制御板1244と第2 外部押さえ部品94が互いに動きを妨げる時、ずれの現象が発生しないのもそのためである。同様に、第2 中央部位置制御板1244と第4 外部押さえ部品98が互いに動きを遮る時もまたずれの現象が起こらないのである。また、第1 中央部位置制御板1242の構造は第2 中央部位置制御板1244と同じである。そのため第1 中央部位置制御板1242は第1 外部押さえ部品92と第3 外部押さえ部品96に差し込まれる時、ずれという現象が起こらないのである。
【００２４】
下部位置制御構造126 は第1 下部位置制御部品1262と第2 下部位置制御部品1264を含む。第1 下部位置制御部品1262と第2 下部位置制御部品1264はスライダ70の両側にそれぞれ突き抜けるようにして設けられる。また第1 下部位置制御部品1262と第2 下部位置制御部品1264の一端は、それぞ第1 外部押さえ部品92と第2 外部押さえ部品94の下部位置制御用溝928 、948 を突き抜けるようにして設けられ( 図１３に図示したものに同じ) 、第1 エンドキャップ100 の第1 下部取付溝1007と第2 下部取付溝1008に差し込まれる( 図６に図示したものに同じ) 。第1 下部位置制御部品1262と第2 下部位置制御部品1264のもう一端はそれぞれ第3 外部押さえ部品96と第4 外部押さえ部品98の下部位置制御用溝968 、988 を突き抜けるようにして設けられ( 図１９に図示したものに同じ)、第2 エンドキャップ110 の第1 下部取付溝と第2 下部取付溝に差し込まれる。
【００２５】
同時に図９をご覧頂きたい。図９は本考案の比較的良好な実施例において外部押さえ部品が下部位置制御構造に接続している状態を示す立体分解図である。図に示したように、第2 下部位置制御板1264は第1 エンドキャップ100 の第2 下部取付溝1008に差し込まれている時、第2 外部押さえ部品94と互いに動きを遮る。本考案では、第2 下部位置制御板1264が第2 外部押さえ部品94と互いに動きを遮った時に、ずれが生じリンクベルト130 の運動に悪影響が及ぶのを避ける必要がある。そのため第2 下部位置制御板1264が有する、第2 外部押さえ部品94と互いに動きを遮る断面にある幾何学模様を、第2 外部押さえ部品94断面の幾何学模様に対応させるようににした。図に示したように、第2 下部位置制御板1264と第2 外部押さえ部品94が互いに動きを遮った時に、ずれという現象が起こらないのもそのためである。同様に、第2 下部位置制御板1264と第4 外部押さえ部品98が互いに動きを遮った時も、ずれの現象は発生しない。第1 下部位置制御板1262の構造も第2 下部位置制御板1264と同じである。そのため第1 下部位置制御板1262が第1 エンドキャップ100 と第2 エンドキャップ110 に差し込まれる時も、ずれという現象は起こらない。
【００２６】
同時に図１０、図１１及び図１２をご覧頂きたい。これらは本考案の比較的良好な実施例におけるリンクベルトの分解図、立体分解図及び部分断面図である。図に示したように、本考案のリンクベルト130 は全てリテーナ135 と複数のボール139 をそれぞれ含む。リテーナ135 は複数のスペーサ1351、複数の連結バンド1353及び複数の張力抵抗バンド1355を含む。全てのスペーサ1351は適切な間隔を開けて離れており、また両側に連結バンド1353を設け、そして全ての連結バンド1353は外側が張力抵抗バンド1355と互いに連結されている。全てのスペーサ1351間には収納空間1357があり、ボール139 を据え付けるのに用いられる。また、全てのスペーサ1351とボール139 が互いに接触する上半面は弓状を、下半面は平面をなしている。このようにしてボール139 が運動時に発生させる摩擦力が減少でき、またボール139 の挟み込みによる影響も低減できる。これによりガイドレールの移動効率向上と騒音削減という効果が図れるのである。
【００２７】
同時に図１３から図２１までの図面をご覧頂きたい。これらは本考案の比較的良好な実施例の組み立て手順を示した組み立て図である。図に示したように、本考案であるローラリニアガイドの循環装置を組み立てる時は、まず図１３に示したように、第1 固定構造82の内部誘導部品822 と第2 半はめ込み管826の第1 端部は、それぞれ第1 外部押さえ部品92の内部収納溝922 と半はめ込み管取付溝921 に設けられる。そして第1 半はめ込み管824 と第2 半はめ込み管826 はそれぞれ組み合わさり一体となる。同様に、第2 固定構造84の内部誘導部品842 と第2 半はめ込み管846 の第1 端部はそれぞれ第2 外部押さえ部品94の内部収納溝942 と半はめ込み管取付溝941 に設けられ、第1 半はめ込み管844 と第2 半はめ込み管846 が組み合わさり一体となる。
【００２８】
続いて、図１４に示したように、組み立てが終了した第1 固定構造82と第2固定構造84は、スライダ70第1 端部の穿孔72を突き抜けるようにして設けられる。そして複数のネジ140 で外部押さえ部品92、94とスライダ70に設けられたネジ穴145 が留め付けられ、固定構造82、84と外部押さえ部品92、94がスライダ70第1 端部にきっちりと締め付けられる。  その後、ネジ142 で第1 エンドキャップ100 とスライダ70に設置したネジ穴144 を留め付け、第1 エンドキャップ100 はスライダ70の第1 端部にきっちりと締め付けられ、外部押さえ部品92、94を固定するのである。
【００２９】
続いて、図１５に示したように、第3 固定構造86と第4 固定構造88の第1 半はめ込み管864 、884 と第2 半はめ込み管866 、886 は、スライダ70第2 端部からそれぞれ穿孔72を突き抜けるようにして設けられる。また、第1 半はめ込み管864 と第2 半はめ込み管866 の第2 端部は、それぞれ第1 外部押さえ部品92の半はめ込み管取付溝923 、925 に差し込まれる( 図１３に図示したものに同じ) 。一方第1 半はめ込み管884 と第2 半はめ込み管886 の第2 端部は、それぞれ第2 外部押さえ部品94の半はめ込み管取付溝943 、945 に差し込まれる( 図１３に図示したものに同じ) 。
【００３０】
続いて、図１６に示したように、第1 上部位置制御板1222、防塵板1224及び第2 上部位置制御板1226は組み合わされて一体となる。そして第1 上部位置制御板1222と第2 上部位置制御板1226の一端は、第1 エンドキャップ100 の上部取付用溝1005、1006に差し込まれる( 図６に図示したものに同じ) 。その後、第1 中央部位置制御板1242と第2 中央部位置制御板1244の一端を外部押さえ部品92、94に設けられた第1 取付穴927 と第2 取付穴947 に入り込むようにして設ける( 図１３に図示したものに同じ) 。その後、第1 下部位置制御板1262と第2 下部位置制御板1264の一端をそれぞれ外部押さえ部品92、94の下部位置制御用溝928 、948 を突き抜けるようにして設け( 図１３に図示したものに同じ) 、第1 エンドキャップ100 の第1 下部取付溝1007と第2 下部取付溝1008に差し込む( 図６に図示したものに同じ) 。
【００３１】
その後、図１７に示したように、リンクベルト130 が第1 半はめ込み管864と第2 半はめ込み管866 を通るように設けられ、第1 外部押さえ部品92の外部案内穴924 、外部案内溝926 及び第1 エンドキャップ100 の外部収納溝1002を経て、第1 中央部位置制御板1242と第1 下部位置制御板1262の間から抜け出る。もう一本のリンクベルト130 は第1 半はめ込み管884 と第2 半はめ込み管886 を通るように設けられ、第2 外部押さえ部品94の外部案内穴944 、外部案内溝946 及び第1 エンドキャップ100 の外部収納溝1004を経て、第2 中央部位置制御板1244と第2 上部位置制御板1226の間から抜け出る。
【００３２】
その後、図１８に示したように、リンクベルト130 は第1 半はめ込み管824と第2 半はめ込み管826 を通るように設けられ、内部誘導部品822 の内部案内溝8225及び第1 外部押さえ部品92の内部収納溝922 を経て、第1 中央部位置制御板1242と第1 上部位置制御板1222の間から抜け出る。もう一本のリンクベルト130 は、第1 半はめ込み管844 と第2 半はめ込み管846 を通るように設けられ、内部誘導部品842 の内部案内溝8425及び第2 外部押さえ部品94の内部収納溝942 を経て、第2 中央部位置制御板1244と第2 下部位置制御板1264の間から抜け出る。
【００３３】
次に図１９に示したように、2 本のリンクベルト130 はそれぞれ外部押さえ部品96、98の外部案内穴964 、984 及び外部案内溝966 、986 を通るように設けられる。また外部押さえ部品96、98の下部位置制御用溝968 、988 はそれぞれ下部位置制御板1262、1264にはまり込む。この時、中央部位置制御板1242、1244はそれぞれ第3 外部押さえ部品96の第1 取付穴と第4 外部押さえ部品98の第2 取付穴に差し込まれる。また半はめ込み管824 、826 、844 、846 もそれぞれ外部押さえ部品96、98の半はめ込み管取付溝に差し込まれる。続いて、ネジ146 により外部押さえ部品96、98とスライダ70に設置されたネジ穴147 が留めつけられ、外部押さえ部品96、98がスライダ70の第2 端部に留めつけられる。
【００３４】
最後に図２０に示したように、ネジ148 により第2 エンドキャップ110 とスライダ70に設置されたネジ穴149 が留めつけられ、第2 エンドキャップ110 がスライダ70の第2 端部にきっちり締め付けられる。これにより第1 上部位置制御板1222、第2 上部位置制御板1226、第1 下部位置制御板1262及び第2 下部位置制御板1264はそれぞれ第2 エンドキャップ110 の第1 上部取付溝、第2 上部取付溝、第1 下部取付溝及び第2 下部取付溝に差し込まれる。組み立てはこのような形で図２１に示したように完了するのである。
【図面の簡単な説明】
【００３５】
【図１】周知の技術である運動案内装置の分解図である。
【図２】周知の技術である内縁誘導部材がリンクベルトに設置された状態を示す立体分解図である。
【図３】本考案の比較的良好な実施例を示す立体分解図である。
【図４】本考案の比較的良好な実施例を示す分解図である。
【図５】本考案の比較的良好な実施例における外部押さえ部品を示す立体分解図である。
【図６】本考案の比較的良好な実施例における第1 エンドキャップを示す立体分解図である。
【図７】本考案の比較的良好な実施例において、外部押さえ部品が上部位置制御構造に接続された状態を示す立体分解図である。
【図８】本考案の比較的良好な実施例において、外部押さえ部品が中央部位置制御構造に接続された状態を示す立体分解図である。
【図９】本考案の比較的良好な実施例において、外部押さえ部品が下部位置制御構造に接続された状態を示す立体分解図である。
【図１０】本考案の比較的良好な実施例におけるリンクベルトを示す分解図である。
【図１１】本考案の比較的良好な実施例におけるリンクベルトを示す立体分解図である。
【図１２】本考案の比較的良好な実施例におけるリンクベルトを示す断面図である。
【図１３】本考案の比較的良好な実施例における組み立て手順を示す組み立て図である。
【図１４】本考案の比較的良好な実施例における組み立て手順を示す組み立て図である。
【図１５】本考案の比較的良好な実施例における組み立て手順を示す組み立て図である。
【図１６】本考案の比較的良好な実施例における組み立て手順を示す組み立て図である。
【図１７】本考案の比較的良好な実施例における組み立て手順を示す組み立て図である。
【図１８】本考案の比較的良好な実施例における組み立て手順を示す組み立て図である。
【図１９】本考案の比較的良好な実施例における組み立て手順を示す組み立て図である。
【図２０】本考案の比較的良好な実施例における組み立て手順を示す組み立て図である。
【図２１】本考案の比較的良好な実施例における組み立て手順を示す組み立て図である。
【符号の説明】
【００３６】
3   ローラ
4   部品本体
12  支え部材
13  支え部材
14  逸脱経路部材
5-1   側面フタ
5-2   側面フタ
4e  長穴
15a-1R  分割部分
15a-1L  分割部分
15b-1R  分割部分
15b-1 分割部分
15a-2R  分割部分
15a-2L  分割部分
15b-2R  分割部分
15b-2L  分割部分
31  外縁誘導部
60  ガイドレール
70  スライダ
72  穿孔
82  第1 固定構造
822   内部誘導部品
8225  内部案内溝
824   第1 半はめ込み管
826   第2 半はめ込み管
84  第2 固定構造
842 内部誘導部品
8425  内部案内溝
96  第3 外部押さえ部品
964   外部案内穴
966   外部案内溝
968   下部位置制御用溝
98  第4 外部押さえ部品
986   外部案内溝
988   下部位置制御用溝
100   第1 エンドキャップ
1002  外部収納溝
1004  外部収納溝
1005  第1 上部取付溝
1006  第2 上部取付溝
1007  第1 下部取付溝
1008  第2 下部取付溝
110   第2 エンドキャップ
122   上部位置制御構造
1222  第1 上部位置制御板
1224  防塵板
10  ローラ支え板
11  支え部材
844   第1 半はめ込み管
846   第2 半はめ込み管
86  第3 固定構造
862   内部誘導部品
8625  内部案内溝
864   第1 半はめ込み管
866   第2 半はめ込み管
88  第4 固定構造
882 内部誘導部品
8825  内部案内溝
884   第1 半はめ込み管
886   第2 半はめ込み管
92  第1 外部押さえ部品
921   半はめ込み管取付溝
922   内部収納溝
923   半はめ込み管取付溝
924   外部案内穴
925   半はめ込み管取付溝
926   外部案内溝
927   第1 取付穴
928   下部位置制御用溝
94  第2 外部押さえ部品
942   内部収納溝
946   外部案内溝
947   第2 取付穴
948   下部位置制御用溝
1226  第2 上部位置制御板
12225   組み立て用でっぱり
12245   組み立て用溝
12265   組み立て用でっぱり
124   中央部位置制御構造
1242  第1 中央部位置制御板
1244  第2 中央部位置制御板
126 下部位置制御構造
1262  第1 下部位置制御部品
1264  第2 下部位置制御部品
130   リンクベルト
135   リテーナ
1351  スペーサ
1353  連結バンド
1355  張力抵抗バンド
1357  収納空間
139   ボール
【図１】
0003123236.tif 000003
【図２】
0003123236.tif 000004
【図３】
0003123236.tif 000005
【図４】
0003123236.tif 000006
【図５】
0003123236.tif 000007
【図６】
0003123236.tif 000008
【図７】
0003123236.tif 000009
【図８】
0003123236.tif 000010
【図９】
0003123236.tif 000011
【図１０】
0003123236.tif 000012
【図１１】
0003123236.tif 000013
【図１２】
0003123236.tif 000014
【図１３】
0003123236.tif 000015
【図１４】
0003123236.tif 000016
【図１５】
0003123236.tif 000017
【図１６】
0003123236.tif 000018
【図１７】
0003123236.tif 000019
【図１８】
0003123236.tif 000020
【図１９】
0003123236.tif 000021
【図２０】
0003123236.tif 000022
【図２１】
0003123236.tif 000023